(57)【要約】【課題】  大型のテレビであっても、ハーフミラーガラスを容易に移動することができるメンテナンス容易な薄型テレビ収納装置及びテレビ収納棚を提供すること。【解決手段】  機枠１に支持された垂直板２に前後方向に移動可能に薄型テレビ５を設置し、薄型テレビ５の前面側に薄型テレビよりも面積大のハーフミラーガラス６を設け、ハーフミラーガラス６の四隅部に前後方向伸縮自在のスライドレール７を設け、各スライドレールの各後端部を機枠１に固定することによりハーフミラーガラス６も垂直板２に対し前後方向に移動可能に構成し、ハーフミラーガラス６を後方位置にスライドすることにより、そのスライド途中において薄側テレビ５の前面が上記ハーフミラーガラス６の裏面に接触した状態となり、ハーフミラーガラス６を薄型テレビ５共々機枠１の収納位置Ｙ２に移動し得るように構成した。【選択図】  図２
2017131508.tif 000002
【特許請求の範囲】
【請求項１】
機枠に支持された垂直板の前面に、少なくとも前後方向に伸縮自在の薄型テレビ用ブラケットが固定され、
上記薄型テレビ用ブラケットの前面側の取付部に薄型テレビの裏面が固定され、これにより上記薄型テレビは上記垂直板に対し平行な状態で、少なくとも上記垂直板に対して第一前方位置と第一後方位置の間を前後方向に移動可能に構成され、
上記薄型テレビの前面側に上記薄型テレビよりも面積大のハーフミラーガラスが設けられ、上記ハーフミラーガラスの四隅部に各々後方向きに前後方向伸縮自在のスライドレールの各先端部が固定され、
上記各スライドレールの各後端部は上記垂直板の上記機枠に固定されることにより、上記ハーフミラーガラスも上記垂直板に対し平行な状態で、第二前方位置と第二後方位置の間を前後方向に移動可能に構成され、
上記ハーフミラーガラスを上記第二前方位置から上記第二後方位置にスライドすることにより、そのスライド途中において上記薄型テレビの前面が上記ハーフミラーガラスの裏面に接触した状態となるように構成され、
かつ上記ハーフミラーガラスの上記第二後方位置において、上記薄型テレビは上記ハーフミラーガラスに接触状態のまま上記第一後方位置に移動し得るように構成されたものである薄型テレビ収納装置。
【請求項２】
上記ハーフミラーガラスの上記各スライドレールは、上記ハーフミラーガラスが上記第二後方位置に位置した状態において、上記ハーフミラーガラスの位置を上記第二後方位置にロックするロック機構を有しているものである請求項１記載の薄型テレビ収納装置。
【請求項３】
上記薄型テレビの前面の周囲に極薄弾性体枠が固着されており、上記薄型テレビと上記ハーフミラーガラスとの上記接触状態において、上記極薄弾性体枠のみが上記ハーフミラーガラス裏面に接触するように構成され、上記薄型テレビの画面は上記ハーフミラーガラス裏面に非接触となるように構成されているものである請求項１又は２記載の薄型テレビ収納装置。
【請求項４】
上記ハーフミラーガラスは、上記薄型テレビの画面に対応する位置をハーフミラー領域として構成されており、上記ハーフミラー領域以外の周辺領域は光遮蔽領域としたものである請求項１〜３の何れかに記載の薄型テレビ収納装置。
【請求項５】
請求項１〜４の何れかに記載の薄型テレビ収納装置を使用したテレビ収納棚であって、
上記第二後方位置に位置するハーフミラーガラスの下側位置、及び／又は、上記第二後方位置に位置する上記ハーフミラーガラスの左側位置、及び／又は、右側位置に収納棚が設けられたものであるテレビ収納棚。
【請求項６】
上記各収納棚の前面に開閉扉が設けられており、上記開閉扉の前面は上記第二後方位置に位置する上記ハーフミラーガラスの前面と面一に形成されたものである請求項５記載のテレビ収納棚。
【発明の詳細な説明】
【技術分野】
【０００１】
本発明は、ハーフミラーガラス背面に薄型テレビを設置するための薄型テレビ収納装置及びそれを使用したテレビ収納棚に関するものである。
【背景技術】
【０００２】
従来、薄型テレビを壁面等に設置し、前面をハーフミラーガラスで被覆してテレビの存在を隠し、テレビをオンしたときにのみハーフミラーガラスにテレビ画面が映し出されるように構成して装飾効果を高めることが行われている。
【０００３】
このような装置は、薄型テレビを支持する方形枠の四隅にフックを設ける一方、ハーフミラーガラスの背面側の四隅に、上記フックに対応する係合溝を設け、上記ハーフミラーガラスの上記各係合溝に上記方形枠の上記フックを係合することにより、上記ハーフミラーガラスを上記薄型テレビの前面側に固定していた（特許文献１）。
【先行技術文献】
【特許文献】
【０００４】
【特許文献１】特開２０１１−７１９７３号公報
【発明の概要】
【発明が解決しようとする課題】
【０００５】
ところで、上記従来の装置では、大型のテレビ（例えば５５型）になるとそれに対応するハーフミラーガラスの面積も大型となり重量も大であるため、テレビのメンテナンス時等において、方形枠から上記ハーフミラーガラスを取り外す作業、及び取り付ける作業は数人を必要とする大がかりな作業になるという課題があった。
【０００６】
また、薄型テレビのメンテナンスに関連して、テレビの裏側に容易にアクセスできる構造が望まれていた。
【０００７】
本発明は上記従来の課題に鑑みてなされたものであり、例えば大型のテレビであっても、ハーフミラーガラスを容易に移動することができるメンテナンス容易な薄型テレビ収納装置及びテレビ収納棚を提供することを目的とする。
【０００８】
また、本発明は、薄型テレビのメンテナンスに関連して、テレビの裏側に容易にアクセスできることが可能な薄型テレビ収納装置及びテレビ収納棚を提供することを目的とする。
【課題を解決するための手段】
【０００９】
上記の目的を達成するため本発明は、
第１に、機枠に支持された垂直板の前面に、少なくとも前後方向に伸縮自在の薄型テレビ用ブラケットが固定され、上記薄型テレビ用ブラケットの前面側の取付部に薄型テレビの裏面が固定され、これにより上記薄型テレビは上記垂直板に対し平行な状態で、少なくとも上記垂直板に対して第一前方位置と第一後方位置の間を前後方向に移動可能に構成され、上記薄型テレビの前面側に上記薄型テレビよりも面積大のハーフミラーガラスが設けられ、上記ハーフミラーガラスの四隅部に各々後方向きに前後方向伸縮自在のスライドレールの各先端部が固定され、上記各スライドレールの各後端部は上記垂直板の上記機枠に固定されることにより、上記ハーフミラーガラスも上記垂直板に対し平行な状態で、第二前方位置と第二後方位置の間を前後方向に移動可能に構成され、上記ハーフミラーガラスを上記第二前方位置から上記第二後方位置にスライドすることにより、そのスライド途中において上記薄型テレビの前面が上記ハーフミラーガラスの裏面に接触した状態となるように構成され、かつ上記ハーフミラーガラスの上記第二後方位置において、上記薄型テレビは上記ハーフミラーガラスに接触状態のまま上記第一後方位置に移動し得るように構成されたものである薄型テレビ収納装置により構成される。
【００１０】
このように構成すると、ハーフミラーガラスと薄型テレビは分離されており、ハーフミラーガラスは薄型テレビとは別体のスライドレールにより前後方向に移動可能であるため、薄型テレビが大型化しても容易にハーフミラーガラスを前方側に移動して薄型テレビ等のメンテナン作業を行うことができる。また、薄型テレビ自体は薄型テレビ用ブラケットにより、ハーフミラーガラスとは別に前後方向に移動可能であるため、薄型テレビのメンテナンス性をも高めることが可能となる。
【００１１】
第２に、上記ハーフミラーガラスの上記各スライドレールは、上記ハーフミラーガラスが上記第二後方位置に位置した状態において、上記ハーフミラーガラスの位置を上記第二後方位置にロックするロック機構を有しているものである上記第１記載の薄型テレビ収納装置により構成される。
【００１２】
上記ロック機構は、例えば先頭移動レール（１２）の後端部（８’）とロック用弾性体（１５）により構成することができる。このように構成すると、ハーフミラーガラスを第二後方位置に移動させたとき、ロック機構によりロックされるため、大型のハーフミラーガラスが不用意に移動することがなく、安全性を高めることができる。
【００１３】
第３に、上記薄型テレビの前面の周囲に極薄弾性体枠が固着されており、上記薄型テレビと上記ハーフミラーガラスとの上記接触状態において、上記極薄弾性体枠のみが上記ハーフミラーガラス裏面に接触するように構成され、上記薄型テレビの画面は上記ハーフミラーガラス裏面に非接触となるように構成されているものである上記第１又は２記載の薄型テレビ収納装置により構成される。
【００１４】
上記極薄弾性体枠の厚みは例えば１ｍｍとすることができる。このように構成すると、ハーフミラーガラスと薄型テレビの画面は非接触状態を維持し得るので、薄型テレビの画面が傷付くことはないし、ハーフミラーガラス裏面と画面とを極薄間隔（例えば約１ｍｍ）の非接触状態でハーフミラーガラス前面側からテレビ画面を視聴することができ、ハーフミラーガラス前面側において鮮明なテレビ画像を見ることが出来る。
【００１５】
第４に、上記ハーフミラーガラスは、上記薄型テレビの画面に対応する位置をハーフミラー領域として構成されており、上記ハーフミラー領域以外の周辺領域は光遮蔽領域としたものである上記第１〜３の何れかに記載の薄型テレビ収納装置により構成される。
【００１６】
このように構成すると、ハーフミラーガラス前面側において、背面側を見え難くし、テレビをオンしたときに、ハーフミラーガラス前面側にテレビ画像のみを浮き上がるように映し出すことができ、装飾効果を高めることができる。
【００１７】
第５に、上記第１〜４の何れかに記載の薄型テレビ収納装置を使用したテレビ収納棚であって、上記第二後方位置に位置するハーフミラーガラスの下側位置、及び／又は、上記第二後方位置に位置する上記ハーフミラーガラスの左側位置、及び／又は、右側位置に収納棚が設けられたものであるテレビ収納棚により構成される。
【００１８】
上記収納棚の前面位置は、例えば上記第二後方位置に位置する上記ハーフミラーガラスの前面と面一に形成することができる。このように構成すると、装飾効果の高いテレビ収納棚を構成することができる。
【００１９】
第６に、上記各収納棚の前面に開閉扉が設けられており、上記開閉扉の前面は上記第二後方位置に位置する上記ハーフミラーガラスの前面と面一に形成されたものである上記第５記載のテレビ収納棚により構成される。
【００２０】
このように構成すると、例えば開閉扉の前面側の素材をハーフミラーガラスとすることにより、前面側の全体がハーフミラーガラスにより構成されたデザイン性の高い収納棚を構成することができる。
【発明の効果】
【００２１】
本発明によれば、ハーフミラーガラスと薄型テレビは分離されており、ハーフミラーガラスは薄型テレビとは別体のスライドレールにより前後方向に移動可能であるため、薄型テレビが大型化しても容易にハーフミラーガラスを前方側に移動して薄型テレビ等のメンテナン作業を行うことができる。
【００２２】
また、薄型テレビ自体の薄型テレビ用ブラケットにより、ハーフミラーガラスとは別に前後方向に移動可能であるため、薄型テレビの裏面にも容易にアクセス可能として、メンテナンス性を高めることが可能となる。
【００２３】
また、ハーフミラーガラスを第二後方位置に移動させたとき、ロック機構によりロックされるため、大型のハーフミラーガラスが不用意に移動することがなく、安全性を高めることができる。
【００２４】
また、ハーフミラーガラスと薄型テレビの画面は非接触状態を維持し得るので、薄型テレビの画面が傷付くことはないし、ハーフミラーガラス裏面と画面とを極薄間隔の非接触状態でハーフミラーガラス前面側からテレビ画像を視聴することができ、ハーフミラーガラス前面側において鮮明な画像を見ることが出来る。
【００２５】
また、ハーフミラーガラス前面側において、背面側を見え難くし、テレビをオンしたときに、ハーフミラーガラス前面側にテレビ画像のみを浮き上がるように映し出すことができ、装飾効果を高めることができる。
【００２６】
また、装飾効果の高いテレビ収納棚を構成することができるし、例えば前面側の全体がハーフミラーガラスにより構成されたデザイン性の高い収納棚を構成することができる。
【図面の簡単な説明】
【００２７】
【図１】本発明に係る薄型テレビ収納装置を使用したテレビ収納棚の正面図である。
【図２】同上テレビ収納装置の側面断面図であり、（ａ）は薄型テレビを前方に移動した状態、（ｂ）は薄型テレビを後方に収納した状態を示す。
【図３】同上テレビ収納装置のスライドレール近傍の拡大背面図である。
【図４】同上テレビ収納装置のスライドレール近傍の側面図である。
【図５】同上テレビ収納装置のスライドレール近傍の側面図である。
【図６】同上テレビ収納装置を使用したテレビ収納棚の正面図である。
【図７】同上テレビ収納装置のスライドレールのロック機構を示す同スライドレールの一部側面図である。
【図８】同上テレビ収納装置の薄型テレビの一部拡大図であり、（ａ）は一部拡大正面図、（ｂ）は一部拡大側面図である。
【図９】同上テレビ収納装置の薄型テレビの背面図である。
【図１０】同上テレビ収納装置の薄型テレビ用ブラケットの平面図であり、（ａ）は同ブラケットの伸長状態、（ｂ）は同ブラケットの収縮状態を示す。
【発明を実施するための形態】
【００２８】
以下、本発明に係る薄型テレビ収納装置及びテレビ収納棚について詳細に説明する。
【００２９】
前面開口の方形（開口は横長の長方形状）の機枠１に上縁２ａと下縁２ｂを支持された垂直板２の前面２’に、少なくとも前後方向（矢印Ａ，Ｂ方向）に伸縮自在の薄型テレビ用ブラケット３が固定されている。尚、薄型テレビ用ブラケット３の具体的構成は後述する（図１０参照）。尚、機枠１の後面は閉鎖状態でも開放でも良い。
【００３０】
上記薄型テレビ用ブラケット３の前面側の取付部４に横長の長方形状の画面５ａを有する薄型テレビ（例えば液晶テレビ）５の裏面５’が固定され、これにより上記薄型テレビ５は上記垂直板２に対し平行な状態で、少なくとも上記垂直板２に対して第一前方位置Ｘ１（図２（ａ）参照）と第一後方位置（収納位置）Ｘ２（図２（ｂ）参照）の間を前後方向に移動可能に構成されている。
【００３１】
尚、以下の説明において、図２における紙面に向かって左側を「前」、紙面に向かって右側を「後」又は「背面」又は「裏面」、前方から後方を向いた場合の上下、左右を「上下方向」、「左右方向」と定義する。
【００３２】
上記薄型テレビ５の前面側に上記薄型テレビよりも面積大であって、上記薄型テレビ５の画面５ａと略相似形の横長の長方形状のハーフミラーガラス６が上記垂直板２と平行に設けられ、上記ハーフミラーガラス６の四隅部に各々後方向きに前後方向伸縮自在のスライドレール７，７，７，７の各先端部８，８，８，８が固定されている。
【００３３】
上記ハーフミラーガラス６の面積は、上記方形の機枠１の前面開口部１ａの面積と同一であり、従って、上記ハーフミラーガラス６を上記前面開口部１ａに移動すると（図２（ｂ）参照）、上記ハーフミラーガラス６の四辺が上記機枠１の前面開口部１ａの四辺に重合して、上記前面開口部１ａを閉鎖できるように構成している（図１、図２（ｂ）参照）。
【００３４】
上記各スライドレール７，７，７，７の各後端９，９，９，９は上記垂直板２を支持する上記機枠１の後端部に固定されることにより、上記ハーフミラーガラス６も上記垂直板２に対し平行な状態で、第二前方位置Ｙ１（図２（ａ）参照）と第二後方位置（収納位置）Ｙ２（図２（ｂ）参照）の間を前後方向に移動可能に構成されている。尚、図２に示すように第二前方位置Ｙ１は第一前方位置Ｘ１より前方であり、第二後方位置Ｙ２は第一後方位置Ｘ２より前方に位置している。
【００３５】
上記４個のスライドレール７は周知の３重レールを用いており、同一構造なので、一のスライドレール７について具体的構造を説明する。まず、上記スライドレール７の後方の固定レール１０は上記機枠１の左右の側板１ｂ，１ｂ’の内面に固定されている（図３〜図５参照）。そして、上記固定レール１０内に中間移動レール１１が前後方向に移動可能かつ抜止状態で嵌合しており、上記中間移動レール１１内に先端移動レール１２が前後方向に移動可能かつ抜止状態で嵌合している。このスライドレール７は、全ての移動レールを前方側に引き出すことができ（図４参照）、全ての移動レールを上記固定レール１０内に収納し得るように構成されている（図５参照）。
【００３６】
上記ハーフミラーガラス６の上下左右の側面及び側面に続く背面の周囲には、アルミニウム製の補強枠１３が固定されており、さらに上記補強枠１３の後面に方形のスライドレール支持枠１４が固定されている。上記スライドレール７の上記先頭移動レール１２の上記先端部８は上記スライドレール支持枠１４のコーナ部１４ａに固定されている（図３参照）。図７に示すように、上記固定レール１０の後端部にはロック用弾性体１５が固定されており、上記ハーフミラーガラス６を上記第二後方位置Ｙ２に位置させたとき、上記先頭移動レール１２の後端部８’が上記ロック用弾性体１５に弾性的に嵌合することで（図７の二点鎖線参照）、上記先頭移動レール１２をロックして、上記ハーフミラーガラズ６を上記第二後方位置Ｙ２にロックし得るように構成している。尚、上記ロック状態は、上記ハーフミラーガラス６が前方側に動き出さない程度の比較的緩いものであり、上記ハーフミラーガラス６を把持して前方側にスライドすることにより、上記後端部８’の上記ロック用弾性体１５の嵌合が解除され、容易にロック解除し得るように構成している。
【００３７】
上記薄型テレビ５は、上述のように第一前方位置Ｘ１と第一後方位置Ｘ２間を前後方向に移動可能であるが、その中間の任意の位置、例えば図２（ａ）の中間位置Ｘ３に停止することも可能である。
【００３８】
仮に、上記薄型テレビ５が上記位置Ｘ３に位置しているとして、上記ハーフミラーガラス６を上記第二前方位置Ｙ１から上記第二後方位置Ｙ２にスライドすることにより、そのスライド途中において上記薄側テレビ５の画面５ａが上記ハーフミラーガラス６の裏面６’に接触した状態となるように構成されている。そして、上記ハーフミラーガラス６をそのまま上記第二後方位置Ｙ２に移動していくと、上記薄型テレビ５は上記ハーフミラーガラス６に接触状態のまま上記第一後方位置Ｘ２まで移動し得るように構成されている。
【００３９】
上記薄型テレビ５の前面の周囲には方形の極薄弾性体枠１６が固着されており（図８参照）、上記薄型テレビ５と上記ハーフミラーガラス６の裏面６’との上記接触状態において、上記弾性体枠１６のみが上記ハーフミラーガラス６の裏面６’に接触するように構成されている（図８（ｂ）参照）。よって、上記薄型テレビ５の前面側の画面５ａは上記ハーフミラーガラス６の裏面６’に非接触となるように構成されている。
【００４０】
上記極薄弾性体枠１６の厚Ｔは約１ｍｍであり、従って、上記薄型テレビ５と上記ハーフミラーガラス６の裏面６’との接触状態（図２（ｂ）の状態）、即ち、薄型テレビ５を視聴する状態においては、薄型テレビ５の上記画面５ａと上記ハーフミラーガラス６の裏面６’は約１ｍｍの間隙を以って非接触の状態となっている。このようにハーフミラーガラス６の裏面６’と上記薄型テレビ５の画面５ａとを極めて狭い間隔（本実施形態では約１ｍｍ）で非接触状態とすることにより、ハーフミラーガラス６の前面側において、歪のない鮮明なテレビ画面映像（画像）を映し出すことができる。
【００４１】
上記ハーフミラーガラス６の裏面６’は、上記薄型テレビ５の画面５ａに対応する位置をハーフミラーガラス領域１７として構成されており（図１参照）、上記ハーフミラー領域１７以外の周辺領域は光非透過部材で被覆することにより光遮蔽領域１８となっている。
【００４２】
上記ハーフミラーガラス６は、後方から前方に向かう光は透過するが、前方から後方に向かう光は、ハーフミラーガラス６表面で反射する構造を有している。従って、当該ハーフミラーガラス６は、前面側からみると、ハーフミラーガラス６全域が鏡面のような状態であり、全域が略黒色となって、同ハーフミラーガラス６の背面側は全く見えない状態となっているが、上記薄型テレビ５をオンすると、上記ハーフミラー領域１７内において、ハーフミラーガラス６の前面側から上記薄型テレビ５の上記画面５ａの映像（画像）を見ることができるものである。
【００４３】
図１に示すものは、上記薄型テレビ収納装置を使用したテレビ収納棚であって、上記第二後方位置Ｙ２に位置するハーフミラーガラス６の下側位置に収納棚１９を設けたテレビ収納棚を示している。
【００４４】
図６に示すものは、上記薄型テレビ収納装置を使用したテレビ収納棚であって、上記第二後方位置Ｙ２に位置するハーフミラーガラス６の下側位置に収納棚１９を設けると共に、上記第二後方位置Ｙ２に位置するハーフミラーガラス６の右側位置に収納棚２０を設けたものである。勿論、上記ハーフミラーガラス６の左側位置に収納棚を設けても良いし、上記ハーフミラーガラス６の左右両方の位置に収納棚を設けても良い。
【００４５】
そして、上記収納棚１９，２０の前面位置１９’，２０’は上記第二後方位置Ｙ２に位置する上記ハーフミラーガラス６の前面と面一に形成することもできる。尚、図２（ｂ）においては、下側の収納棚１９の前面１９’は上記第二後方位置Ｙ２より前方に突出しているが、このように下側の収納棚１９は上記第二後方位置Ｙ２より前方に突出するように構成しても良い。尚、左右の収納棚２０の前面２０’は、上記第二後方位置Ｙ２と面一に構成することが好ましい。
【００４６】
さらに、上記各収納棚１９，２０の前面に開閉扉２１を設けることもでき、上記開閉扉２１の前面は上記第二後方位置Ｙ２に位置する上記ハーフミラーガラス６の前面６’と面一に形成することもできる。このように構成すると、上記ハーフミラーガラス６と各収納棚１９，２０の開閉扉２１が一体となり、デザイン性の富む収納棚を構成することができる。
【００４７】
さらに上記各収納扉２１の前面を上記ハーフミラーガラス６と面一のハーフミラーガラスにより構成することにより、全体としてより視覚的な一体感を持たせることができ、デザイン性をより一層高めることができる。
【００４８】
次に、薄型テレビ用ブラケット３について説明する。このブラケット３は各種市販されている薄型テレビ壁掛用ブラケットを使用することができる。例えば、図１０に示すように、上記垂直板２に固定された固定部２２と、該固定部２２に一端を軸支された一対のリンク２３，２３、該リンク２３，２３の先端に軸支された一対のリンク２４，２４を有し、上記リンク２４，２４の前端の上記取付部４に水平支持軸２６が支持されており、当該水平支持軸２６に一対の支持杆２５，２５（図９参照）が上記水平支持軸２６に直交して設けられている。
【００４９】
そして、上記支持杆２５，２５を図９に示すように、薄型テレビ５の裏面側にビス２７にて固定することにより、上記薄型テレビ５を上記垂直板２に平行に垂直状態で支持することができる。
【００５０】
上記薄型テレビ用ブラケット３は、図９に示すように、上記リンク２３，２３及びリンク２４，２４の伸縮に基づいて、上記水平支持軸２６を上記垂直板２に対して前後方向に移動可能であるため、上記支持杆２５，２５に上記薄型テレビ５を固定することにより、当該薄型テレビ５を上記垂直板２に対して前後方向、即ち、上記第１前方位置Ｘ１と上記第一後方位置Ｘ２との間を前後方向に移動することができる。尚、上記薄型テレビ用ブラケット３はその構造から、上記薄型テレビを上記の前後方向だけではなく、同薄型テレビ５を図１０（ｂ）に示すように、傾斜方向（矢印Ｅ方向、矢印Ｆ方向）にも回動させることも可能であり、これにより薄型テレビ５の裏面へのアクセス性を高めることができる。
【００５１】
本発明は上述のように構成されるものであるから、メンテナンス等を行う場合は、図２（ｂ）の状態から第二後方位置Ｙ２に位置するハーフミラーガラス６を把持して、前方（矢印Ａ方向）に移動させれば良い。このとき、薄型テレビ５と上記ハーフミラーガラス６は分離されているので、ロック機構が解除されると共に、スライドレール７，７，７，７の伸長により、ハーフミラーガラス６のみが前方に移動し、図２（ａ）の第二前方位置Ｙ１まで容易に移動することができる。従って、この位置において、薄型テレビ５は第一後方位置Ｘ２に位置しているので、該薄型テレビ５の画面５ａの清掃、上記ハーフミラーガラス６の裏面６’の清掃等のメンテナンスを容易に行うことができる。
【００５２】
さらに、ハーフミラーガラス６を前方に移動させた状態において、第一後方位置Ｘ２に位置する薄型テレビ５を把持して、前方に移動させれば良い。すると薄型テレビ用ブラケット３の各リンクが伸長し、薄型テレビ５を第一前方位置Ｘ１まで容易に移動させることができる。このとき、薄型テレビ５の裏面側に容易にアクセスすることができるので、各種のメンテナンスを容易に行うことができる。また、必要に応じて、薄型テレビ５を傾斜させることにより、よりアクセス性を高めることができる。
【００５３】
メンテナンス等が終了した場合は、上記ハーフミラーガラス６を上記第二前方位置Ｙ１から上記第二後方位置Ｙ２まで後方にスライドさせれば良い。すると、ハーフミラーガラス６の後方への移動の途中において、ハーフミラーガラス６の裏面６’に薄型テレビ５の前面側の極薄弾性体枠１６が当接し、ハーフミラーガラス６と薄型テレビ５とはかかる当接状態（薄型テレビ５の画面５ａとハーフミラーガラス６の裏面６’との間隔が約１ｍｍの近接状態）のまま、ハーフミラーガラス６は薄型テレビ５共々、後方に移動し、該ハーフミラーガラス６が上記第二後方位置Ｙ２、上記薄型テレビ５は上記第一後方位置Ｘ２に位置した状態において、上記スライドレール７をロック状態とすることができる。
【００５４】
通常は、ハーフミラーガラス６が第二後方位置Ｙ２、薄型テレビ５が第一後方位置Ｘ２に位置した状態（ハーフミラーガラス６裏面６’と薄型テレビ５の画面５ａの間隔が例えば約１ｍｍの近接状態）において、テレビの視聴が行われるため、当該位置において、テレビをオンすることにより、上記ハーフミラーガラス６の前面側におけるハーフミラー領域１７において、鮮明なテレビ画像を視聴することができる。
【００５５】
以上のように本発明によれば  ハーフミラーガラス６と薄型テレビ５は分離されており、ハーフミラーガラス６は薄型テレビ５とは別体のスライドレール７により前後方向に移動可能であるため、薄型テレビ５が大型化しても容易にハーフミラーガラス６を前方側に移動して薄型テレビ等のメンテナン作業を行うことができる。
【００５６】
また、薄型テレビ自体を、薄型テレビ用ブラケット３により、ハーフミラーガラス６とは別に前後方向に移動可能であるため、薄型テレビの裏面側にも容易にアクセス可能であり、メンテナンス性を高めることが可能となる。
【００５７】
また、ハーフミラーガラス６を第二後方位置Ｙ２に移動させたとき、ロック機構によりロックされるため、大型のハーフミラーガラス６が不用意に移動することがなく、安全性を高めることができる。
【００５８】
また、ハーフミラーガラス６と薄型テレビ５の画面は非接触状態を維持し得るので、薄型テレビ５の画面が傷付くことはないし、ハーフミラーガラス６裏面と画面とを極薄間隔（例えば約１ｍｍ）の非接触状態でハーフミラーガラス前面側からテレビ画面を視聴することができ、ハーフミラーガラス前面側において鮮明な画像を見ることが出来る。
【００５９】
また、ハーフミラーガラス前面側において、背面側を見え難くし、テレビをオンしたときに、ハーフミラーガラス前面側にテレビ画像のみを浮き上がるように映し出すことができ、装飾効果を高めることができる。
【００６０】
また、装飾効果の高いテレビ収納棚を構成することができるし、例えば前面側の全体がハーフミラーガラスにより構成されたデザイン性の高い収納棚を構成することができる。
【産業上の利用可能性】
【００６１】
本発明に係る薄型テレビ収納装置及びテレビ収納棚によると、例えば大型薄型テレビ付のファッショナブルな収納棚を実現することができ、例えば富裕層向けの付加価値の高い家具として期待されるものである。
【符号の説明】
【００６２】
１          機枠
２          垂直板
３          薄型テレビ用ブラケット
４          取付部
５          薄型テレビ
５’        裏面
６          ハーフミラーガラス
７          スライドレール
８          先端部
９          後端部
１５        ロック用弾性体
１６        極薄弾性体枠
１７        ハーフミラー領域
１８        光遮蔽領域
１９，２０  収納棚
２１        開閉扉
Ｘ１        第一前方位置
Ｘ２        第一後方位置
Ｙ１        第二前方位置
Ｙ２        第二後方位置
【図１】
2017131508.tif 000003
【図２】
2017131508.tif 000004
【図３】
2017131508.tif 000005
【図４】
2017131508.tif 000006
【図５】
2017131508.tif 000007
【図６】
2017131508.tif 000008
【図７】
2017131508.tif 000009
【図８】
2017131508.tif 000010
【図９】
2017131508.tif 000011
【図１０】
2017131508.tif 000012